(57)【要約】  ＤＳＬ加入者宅内機器モデム（ＤＣＰＥ）は、当該モデム用のアプリケーションイメージ又はコンフィギュレーションを記憶するためのフラッシュメモリ又は他のスタティックメモリの必要性を回避する。モデムは、チップセットをブートするために用いられるマイクロコードを記憶し、例えば電話局（ＣＯ）等の遠隔サイトからアプリケーションイメージ及び／又はコンフィギュレーションを取得する。可能な一起動手順において、このマイクロコードは、モデムのチップセットを初期化し、ＤＳＬドライバを始動させ、サービスプロバイダのＣＯ機器とのデータリンクを実現し、ＣＯからアプリケーションイメージ及び／又はコンフィギュレーションをダウンロードする。例えば携帯電話、他の携帯装置等の他タイプの通信装置は、例えば基地局等の遠隔サイトからアプリケーションイメージを取得するために同様の手順を実行する。
2008510330.tif 000002
【特許請求の範囲】
【請求項１】
加入者宅内ＤＳＬモデムであって、
チップセットと、ＲＡＭと、前記チップセットにより実行されるマイクロコードを記憶するメモリユニットと、を備え、
前記マイクロコードは、
前記加入者宅内ＤＳＬモデム用のアプリケーションイメージを取得するために電話局と通信するためのものであり、アプリケーションイメージを用いること無く前記電話局との通信を可能にするプロトコルアプリケーションと、
前記チップセットに、前記プロトコルアプリケーションを用いてデータリンクを実現させるブートローダと、
を備えている
ことを特徴とする加入者宅内ＤＳＬモデム。
【請求項２】
前記メモリユニットに記憶されたプロトコルアプリケーションは、圧縮されており、
前記マイクロコードは、前記プロトコルアプリケーションを前記ＲＡＭ内に解凍するためのコードを含む解凍部をさらに備えている
ことを特徴とする請求項１に記載の加入者宅内ＤＳＬモデム。
【請求項３】
前記解凍部は、解凍された前記プロトコルアプリケーションのインテグリティをチェックするためのコードをさらに含む
ことを特徴とする請求項２に記載の加入者宅内ＤＳＬモデム。
【請求項４】
前記ブートローダは、前記ＲＡＭを初期化してメモリテストを実行するためのコードをさらに含む
ことを特徴とする請求項１に記載の加入者宅内ＤＳＬモデム。
【請求項５】
前記プロトコルアプリケーションは、ＢＯＯＴＰプロトコル及びＴＦＴＰプロトコルを用いて前記電話局と通信を行うためのＢＯＯＴＰ／ＴＦＴＰアプリケーションをさらに備えている
ことを特徴とする請求項１に記載の加入者宅内ＤＳＬモデム。
【請求項６】
前記プロトコルアプリケーションは、さらに、前記モデムのコンフィギュレーションを取得するために前記電話局と通信を行うことを特徴とする請求項１に記載の加入者宅内ＤＳＬモデム。
【請求項７】
前記プロトコルアプリケーションは、
固有の通し番号を前記電話局に送信し、
前記電話局からＭＡＣアドレスを受信し、
前記データリンク用の一以上のパラメータを取得するために前記電話局と取り決めを行う
ことにより、前記アプリケーションイメージを取得する
ことを特徴とする請求項１に記載の加入者宅内ＤＳＬモデム。
【請求項８】
前記メモリユニットは、前記チップセットに外付けされている
ことを特徴とする請求項１に記載の加入者宅内ＤＳＬモデム。
【請求項９】
前記メモリユニットは、前記チップセット内に設けられている
ことを特徴とする請求項１に記載の加入者宅内ＤＳＬモデム。
【請求項１０】
前記メモリユニットは、一回だけプログラム可能なＲＯＭを備えている
ことを特徴とする請求項１に記載の加入者宅内ＤＳＬモデム。
【請求項１１】
前記マイクロコードは、１２８ｋｂ以下である
ことを特徴とする請求項１に記載の加入者宅内ＤＳＬモデム。
【請求項１２】
オンボードフラッシュメモリを備えていない
ことを特徴とする請求項１に記載の加入者宅内ＤＳＬモデム。
【請求項１３】
加入者宅内ＤＳＬモデムであって、
チップセットと、
アプリケーションイメージを用いること無く電話局とのデータリンクを実現するステップと、実現された前記データリンクを介して前記電話局からアプリケーションイメージをダウンロードするステップと、前記アプリケーションイメージを当該加入者宅内ＤＳＬモデム内にロードするステップと、を前記チップセットに実行させるために当該チップセットにより実行されるマイクロコードを含む持続性メモリを備えたメモリユニットと、
を備えていることを特徴とする加入者宅内ＤＳＬモデム。
【請求項１４】
前記データリンクを実現するステップは、
固有の通し番号を前記電話局に送信するステップと、
前記電話局からＭＡＣアドレスを受信するステップと、
前記データリンク用の一以上のパラメータを取得するために前記電話局と取り決めを行うステップと、
を含む
ことを特徴とする請求項１３に記載の加入者宅内ＤＳＬモデム。
【請求項１５】
前記持続性メモリは、実現された前記データリンクを介して前記電話局からコンフィギュレーションをダウンロードするステップと、前記コンフィギュレーションを前記加入者宅内モデム内にロードするステップと、を前記チップセットに実行させるために当該チップセットにより実行されるマイクロコードをさらに含む
ことを特徴とする請求項１３に記載の加入者宅内ＤＳＬモデム。
【請求項１６】
前記アプリケーションイメージは、ＢＯＯＴＰプロトコル及びＴＦＴＰプロトコルを用いてダウンロードされる
ことを特徴とする請求項１３に記載の加入者宅内ＤＳＬモデム。
【請求項１７】
前記メモリユニットは、前記チップセット内に設けられている
ことを特徴とする請求項１に記載の加入者宅内ＤＳＬモデム。
【請求項１８】
前記メモリユニットは、一回だけプログラム可能なＲＯＭを備えている
ことを特徴とする請求項１に記載の加入者宅内ＤＳＬモデム。
【請求項１９】
加入者宅内ＤＳＬモデム用のアプリケーションイメージを取得するための方法であって、
アプリケーションイメージを用いること無く電話局とのデータリンクを実現するステップと、
実現された前記データリンクを介して前記電話局からアプリケーションイメージをダウンロードするステップと、
前記アプリケーションイメージを前記加入者宅内ＤＳＬモデム内にロードするステップと、
を含むことを特徴とする方法。
【請求項２０】
前記データリンクを実現するステップは、
固有の通し番号を前記電話局に送信するステップと、
前記電話局からＭＡＣアドレスを受信するステップと、
前記データリンク用の一以上のパラメータを取得するために前記電話局との取り決めを行うステップと、
を含む
ことを特徴とする請求項１９に記載の方法。
【請求項２１】
実現された前記データリンクを介して前記電話局からコンフィギュレーションをダウンロードするステップと、
前記コンフィギュレーションを前記加入者宅内ＤＳＬモデム内にロードするステップと、
をさらに含む
ことを特徴とする請求項１９に記載の方法。
【請求項２２】
前記アプリケーションイメージは、ＢＯＯＴＰプロトコル及びＴＦＴＰプロトコルを用いてダウンロードされる
ことを特徴とする請求項１９に記載の方法。
【請求項２３】
電気通信装置であって、
チップセットと、
前記チップセットにより実行されるコードを記憶するメモリユニットと、
を備え、
前記コードは、
前記電気通信装置用のアプリケーションイメージを取得するために電話局と通信するためのものであり、アプリケーションイメージを用いること無く前記電話局との通信を可能にするプロトコルアプリケーションと、
前記チップセットに、前記プロトコルアプリケーションを用いてデータリンクを実現させるブートローダと、
を備えている
ことを特徴とする電気通信装置。
【請求項２４】
前記電気通信装置は、携帯電話を備えている
ことを特徴とする請求項２３に記載の電気通信装置。
【発明の詳細な説明】
【技術分野】
【０００１】
本出願は、２００４年７月２６日に出願された米国仮特許出願第６０／５９１，３１０号及び２００５年７月２５日に出願された米国特許出願第１１／ｘｘｘ，ｘｘｘ号「サービスプロバイダからアプリケーションイメージ又はコンフィギュレーションを取得するための通信装置」、発明者シモン  エデルハウス、に基づいて優先権を主張するものであり、参照により本明細書中に組み込むものとする。
【０００２】
本発明は、一般的には、デジタル加入者線（ＤＳＬ）通信に関し、より詳細には、ＤＳＬ加入者宅内機器（ＣＰＥ）モデム（ＤＣＰＥ）に関する。また、本発明は、携帯電話及び他の携帯通信装置を含む、他タイプの通信装置に関する。
【背景技術】
【０００３】
ＤＳＬ加入者宅内機器（ＣＰＥ）モデム（ＤＣＰＥ）の起動時に、アプリケーションイメージは、ＤＣＰＥによりロード及び実行されて、ＤＣＰＥの動作を制御するために用いられる。既存のＤＣＰＥにおいて、アプリケーションイメージは、オンボードフラッシュメモリに記憶される。不都合なことに、アプリケーションイメージを記憶するために用いられるオンボードフラッシュメモリは、高価であり、ＤＣＰＥの全体的なコストを増大させる要因となっている。したがって、ＤＣＰＥの製品においてオンボードフラッシュメモリ又は均等物の必要性を無くすことが有益である。
【０００４】
モデムのオンボードフラッシュメモリに存在する既存のアプリケーションイメージをアップグレードする状況のみにおいて、ＤＳＬモデムは、電話局（ＣＯ）からアプリケーションイメージをダウンロードするために、例えば（ＩＥＴＦ  ＲＦＣ−９５１において定義された）ＢＯＯＴＰ、（ＩＥＴＦ  ＲＦＣ−７８３において定義された）ＴＦＴＰ等のプロトコルを用いてきた。モデムは、新たなアプリケーションイメージアップグレードがダウンロードされる前にＣＯとのデータリンクを起動し、初期化し、セットアップするためのアプリケーションイメージをまだ必要としているので、これらのモデムは、オンボードフラッシュメモリを有する必要性を無くしていなかった。したがって、これらのモデムは、フラッシュメモリ又はその均等物をまだ必要としており、それに関連する欠点を有していた。
【０００５】
さらに、既存のＤＣＰＥは、ソフトウェアコードをアップグレードすることにより機能を追加したりソフトウェアの欠陥を修正したりする能力において制限されている。例えば、アプリケーションイメージにおいて機能を追加する及び／又は欠陥を修正することは、アプリケーションイメージのサイズを増大させる結果となる。より大きなアプリケーションイメージは、ＤＣＰＥが加入者に出荷されたときに備えられたオリジナルのオンボードフラッシュメモリに収まらないかもしれない。したがって、オンボードフラッシュメモリにアプリケーションイメージを記憶することは、アプリケーションイメージ自身をアップグレードするための能力も制限してしまう。
【０００６】
アプリケーションイメージサイズに関する追加的なコスト及び制限に加えて、モデム用のアプリケーションイメージをオンボードフラッシュメモリに記憶することは、ＣＯからアプリケーションに対するアップグレードを転送することを一層困難にする。ＤＣＰＥは、しばしば集積型ＮＡＴファイアーウォールルータを備えているので、ＣＰＥのネットワークアーキテクチャは、サービスプロバイダから隠れてしまう。このことは、加入者のプランにおいて許可されたもの（例えば、サービスプロバイダとの契約において支払われるデバイスの数）よりも多くのＬＡＮデバイス及びコンピュータを配備することを加入者に対して許可する。したがって、オンボードフラッシュメモリにアプリケーションイメージを記憶することは、データサービスプランを実施するのと同様、アプリケーションイメージ及びコンフィギュレーションに対するアップグレードを転送することを一層困難にする。
【発明の開示】
【発明が解決しようとする課題】
【０００７】
したがって、オンボードフラッシュメモリ内に記憶されたアプリケーションイメージ無しで動作することにより、製造コストを低減させ、アプリケーションイメージをオンボードＤＣＰＥに記憶することに伴う固有の不利益を避けることが可能なＤＣＰＥを得ることが望まれている。
【課題を解決するための手段】
【０００８】
本発明は、起動時にオンボードフラッシュメモリ又は取り付けられたローカルメモリではなくＣＯからアプリケーションイメージを取得するＤＳＬ加入者宅内機器モデム、すなわちＤＣＰＥを提供する。この手法によると、モデムは、モデム用のアプリケーションイメージを記憶するためのフラッシュメモリ又は他のスタティックメモリを必要としなくなる。一実施形態において、ＤＣＰＥは、メモリユニット（例えば、小さくて一回だけプログラム可能なＲＯＭ）に含まれるマイクロコードを用いて起動されるチップセットを備えている。このマイクロコードは、ＤＣＰＥチップセットを初期化し、ＤＳＬドライバを始動させ、サービスプロバイダのＣＯ機器との信頼できるデータリンクを実現し、ＣＯ供給サーバからのアプリケーションイメージ及びコンフィギュレーションのダウンロードを実行する。ダウンロードは、ＢＯＯＴＰ、ＴＦＴＰ等のプロトコルを用いて実現されてもよい。ダウンロードされたアプリケーションイメージ及びコンフィギュレーションは、ＤＣＰＥのＲＡＭに記憶されて通常通りにＤＣＰＥを作動させるために用いられる。
【０００９】
オンボードフラッシュメモリにアプリケーションイメージ及びコンフィギュレーションを記憶する既存のＤＣＰＥと異なり、本発明の実施形態は、ＤＣＰＥ用のアプリケーションイメージ及び／又はコンフィギュレーションを記憶するためのオンボードフラッシュメモリの必要性を無くしている。したがって、本発明の実施形態は、ＤＣＰＥの部品表から高価なフラッシュメモリを無くすことにより、より低価なＤＣＰＥの配備を可能にする。また、オンボードフラッシュメモリではなくＣＯからアプリケーションイメージ及びコンフィギュレーションを取得することは、アプリケーションイメージ及び／又はコンフィギュレーションに対するコードアップグレードを介して特徴を追加したりソフトウェア欠陥を修復したりする素晴らしい能力を可能にする。さらに、この特徴は、サービスプロバイダがより簡単にＣＯから配備コンフィギュレーション及びネットワークトポロジーを転送することを可能にするので、サービスプロバイダがサービスプランを実行して加入者による詐欺又は悪用を防ぐことができる。
【００１０】
また、本発明の実施形態は、利用者にとって、ＤＣＰＥのインストール及び利用をより簡単かつより継ぎ目が無いようにする。既存のＤＣＰＥは、配備及び管理が困難である。一般的に、利用者は、ＤＳＬサービスを配備するためにいくつかのパラメータを入力してセーブする必要がある。間違えた利用者は、誤ったコンフィギュレーションをＤＣＰＥのオンボードフラッシュメモリ内にセーブしようとしたり、ＤＣＰＥを動作不能にするファームウェアアップグレードを実行しようとしたりする。本発明の実施形態は、加入者が必要とするコンフィギュレーションが無くても、サービスプロバイダがＤＳＬサービスを作動させるのに十分なコンフィギュレーションを利用者に提供することを可能にする。このことは、サービスプロバイダが様々なタイプのＤＣＰＥ用のファームウェアを管理するので、誤ったファームウェアアップグレードの危険性を低減又は無くす。さらに、コストのかかる加入者サポート電話又はトラックロールが避けられる。
【発明を実施するための最良の形態】
【００１１】
図１を参照すると、加入者宅内ＤＳＬモデム（ＤＣＰＥ）１００は、加入者回線を介して電話局（ＣＯ）１５０内の機器と通信する。加入者回線は、ＤＳＬデータサービスに加え、音声電話サービスを加入者宅内に送るために利用可能な銅線のツイストペアを伝統的に備えている。ＤＳＬ及び音声サービスに関する様々な構成及びシステムが、よく知られている。
【００１２】
一実施形態によると、ＤＣＰＥ１００は、チップセット１０５と、メモリユニット１１０と、ＲＡＭ１３０と、を備えている。メモリユニット１１０は、ＤＣＰＥ１００の電源が入っていない場合であってもデータを保持する固定記憶装置を提供する。一実施形態において、メモリユニット１１０は、小さくて（例えば、１２８ｋｂ）一回だけプログラム可能なＲＯＭを備えている。メモリユニット１１０は、チップセット１０５に外付けされていてもよく、又は、マスクＲＯＭの形式でチップセット１０５内に設けられていてもよい。メモリユニット１１０は、チップセット１０５が所定のタスクを実行するためのマイクロコードを含む。図示された実施形態において、メモリユニット１１０は、ブートローダ１１５と、Ｚｌｉｂ解凍部１２０と、ＢＯＯＴＰ／ＴＦＴＰアプリケーション１２５と、を備えている。また、メモリユニット１１０は、追加機能を実行するためのコードを備えていてもよく、メモリユニット１１０は、本明細書に記載されたマイクロコードモジュールのそれぞれを備えなくてもよい。
【００１３】
一実施形態において、ブートローダ１１５は、他のメモリ及びデータキャッシュと同様に、チップセットのＲＡＭ１３０を初期化するための実行コードを備えている。ブートローダ１１５は、クイックメモリテストを実行するためのコードと、Ｚｌｉｂ解凍部１２０を用いて圧縮されたＢＯＯＴＰ／ＴＦＴＰアプリケーション１２５を解凍し始動させるためのロードと、をさらに備えている。Ｚｌｉｂ解凍部１２０は、チップセット１０５がメモリユニット１１０にアクセスすることを可能にする実行コードを備え、ＢＯＯＴＰ／ＴＦＴＰアプリケーション１２５をフェッチし、ＢＯＯＴＰ／ＴＦＴＰアプリケーション１２５をＲＡＭ１３０内に解凍する。Ｚｌｉｂ解凍部１２０を用いると、チップセット１０５は、周知であるヘッダ内の署名に反抗して、解凍されたＢＯＯＴＰ／ＴＦＴＰアプリケーション１２５のインテグリティをチェックすることもできる。ＢＯＯＴＰ／ＴＦＴＰアプリケーション１２５は、ＣＯと通信するためのＤＳＬドライバを備えている。ＤＣＰＥ１００がＡＴＭに基づくＤＣＰＥである場合には、ＢＯＯＴＰ／ＴＦＴＰアプリケーション１２５がＡＴＭドライバ及びＲＦＣ−２６８４ドライバを備えていてもよく、ＤＣＰＥがＰＴＭに基づくＤＣＰＥである場合には、ＢＯＯＴＰ／ＴＦＴＰアプリケーション１２５がイーサネット（登録商標）ドライバ及びＩＥＥＥ−８０２．３ドライバを備えていてもよい。
【００１４】
図２は、本発明の一実施形態に従って、ＤＣＰＥ１００に関する起動手順を説明するための図である。この起動手順において、ＤＣＰＥ１００は、アプリケーションイメージ及び／又はコンフィギュレーションを、ＣＯ１５０から取得する。本手順は図１に図示されるＤＣＰＥに関して記載されているが、モデムは、オンボードの持続性メモリ内に情報を記憶するのではなく、ＣＯ１５０からアプリケーションイメージ、コンフィギュレーション又は当該モデムの通常動作に関する他の情報を取得する他タイプのモデムであってもよいことが理解される。
【００１５】
図示されるように、ＤＣＰＥは、起動時に初期化される（２０５）。このことは、ＤＣＰＥ１００の電源が入れられたときに発生してもよい。一実施形態において、この初期化（２０５）は、前記したように、モデムのＲＡＭ１３０及び他のメモリを初期化してクイックメモリテストを実行するブートローダ１１５により実行される。ＤＣＰＥ１００は、ＣＯ１５０との基本的な通信を可能にするためにそのＤＳＬドライバを解凍する（２１０）。この解凍（２１０）は、前記したように、ＢＯＯＴＰ／ＴＦＴＰアプリケーション１２５を解凍するＺｌｉｂ解凍部１２０を用いて実行されてもよい。チップセット１０５により実行されるときには、ＢＯＯＴＰ／ＴＦＴＰアプリケーション１２５は、ＤＳＬドライバを始動させ、サービスプロバイダのＣＯ装置１５０との信頼できる物理リンクを実現する。
【００１６】
物理リンクの実現中、ＤＣＰＥ１００は、ＣＯ１５０に対してパラメータを送信する（２１５）。一実施形態において、物理リンクの実現中にＤＣＰＥ１００からＣＯ１５０に送信されるパラメータ（例えば、モデムトレーニング、Ｇ．ｈｓ又はＧ．ｈａｎｄｓｈａｋｅ）は、ＤＣＰＥのチップセット１０５に関する固有の通し番号である。この固有の通し番号は、製造工程の一部としてメモリユニット１１０内にプログラムされてもよく、内部にマスクＲＯＭが用いられている場合には、チップセット製造工程中にチップセット内にプログラムされてもよい。
【００１７】
ＤＣＰＥ１００からこの固有の通し番号を受信したことに応じて、ＣＯの供給サーバ１５５が、予め構成された供給テーブルに基づいて、ＤＣＰＥ１００用のＭＡＣアドレスを取得する（２２０）。一実施形態において、ＣＯ１５０内で稼働している供給サーバ１５５は、他の情報のうち、通し番号と、各通し番号に割り当てるためのＭＡＣアドレスと、通し番号又はＭＡＣアドレス用の所望のアプリケーションイメージと、通し番号又はＭＡＣアドレスを実行するためのコンフィギュレーションと、のテーブルを備えている。ＣＯ１５０は、当該ＣＯ１５０が割り当てられる固有のＭＡＣアドレスを示すパラメータをＤＣＰＥに送信する（２２５）。このことは、非許可のＤＣＰＥ（例えば、不適切な通し番号を有するＤＣＰＥ）がサービスプロバイダのネットワークに配置されないことを保証する。また、サービスプロバイダがＭＡＣアドレスを決定するので、ＭＡＣアドレスは、各ＤＣＰＥ１００に関して固有であり、ネットワークの問題を解消することを保証する。
【００１８】
続いて、ＤＣＰＥ１００及びＣｏ１５０は、データリンク層に関する設定として用いられる一以上のパラメータを取り決める。ＡＴＭに基づくＤＣＰＥに関しては、例えば、これらのパラメータは、ＶＰＩ／ＶＣＩと、以下のモード：ＬＬＣ−Ｂｒｉｄｇｅｄ、ＬＬＣ−Ｒｏｕｔｅｄ、ＶＣ−Ｂｒｉｄｇｅｄ又はＶＣ−Ｒｏｕｔｅｄ  の一つと、を含む。この取り決め（２３０）は、データリンク層が両方に適合し、アプリケーションイメージ及びコンフィギュレーションがダウンロードされるのを可能にすることを保証する。このとき、ＢＯＯＴＰプロトコル及びＴＦＴＰプロトコルが、ＣＯの供給サーバ１５５からのアプリケーションイメージ及び／又はコンフィギュレーションのダウンロード（２３５）を実行するために用いられる。続いて、アプリケーションイメージ及び／又はコンフィギュレーションがＤＣＰＥのＲＡＭ１３０に記憶され、通常動作のためにＤＣＰＥ１００内にロードされる（２４０）。
【００１９】
一実施形態において、ＤＣＰＥ１００は、当該ＤＣＰＥのオンボードフラッシュメモリ（例えば、従来のＤＣＰＥ内のものと同様のもの）にセーブされない全ての更新をＣＯの供給サーバ１５５に対して送信する。これらの更新の例は、システムログ更新、設定更新等を含む。
【００２０】
一実施形態において、信頼できる物理リンクは、Ｇ．ｄｍｔとしても知られているＩＴＵ−Ｇ．９９２．１によって実現される。ほとんどのＤＳＬＡＭｓがＧ．ｄｍｔをサポートしているので、このスタンダードの利用は、信頼できる物理リンクを実現する可能性を高くする。物理リンクの実現の一例において、初期のトレーニング時間は４０秒であり、起動時間は約３〜４秒である。したがって、平均して、物理リンクの実現は、標準的なＤＣＰＥと比較して、ＤＣＰＥの電源が入った時からユーザがＤＣＰＥを用いてインターネットにアクセスできる時まで一分も追加しない。ＶＳＤＬ及びリンクアップ時間がより速い他の技術に関して、この遅延はほとんど検知することができない。
【００２１】
他の実施形態において、本明細書に記載された起動スキームが、ＩＰ  ＤＳＬＡＭにおけるｘＤＳＬ  ＩＰ回線カードに適用される。ＩＰ  ＤＳＬＡＭにおいてＩＰ回線カードの各ブレードに基づいてフラッシュデバイスを管理することは、高価かつ困難であるので、（ＯＴＰ  ＲＯＭのような）小さい持続性メモリがイーサネット（登録商標）物理リンク及びＭＡＣアドレスを初期化してイーサネット（登録商標）リンクを実現するために回線カード上で用いられる制御モジュール内の中心にアプリケーションイメージを記憶することが望ましい。ＢＯＯＴＰ及びＴＦＴＰを用いて、アプリケーションイメージは、カードのタイプ及びカードＩＤに基づいて好適な回線カードに関して好適なイメージを選択し、回線カードのＲＡＭに伝送される。この手法において、コンフィギュレーションも、制御モジュールから実行されてもよい。
【００２２】
さらに他の実施形態において、本発明は、携帯電話、携帯端末（ＰＤＡ）又はＧ３データが可能とするＩＰネットワークに関する携帯機能を有する他の携帯機器に適用される。アプリケーションイメージは、基地局内の供給サーバに記憶されてもよい。携帯機器は、セルラーＡＳＩＣファームウェアを有するＢＯＯＴＰ／ＴＦＴＰローダ用のＲＡＭ及びＯＴＰ（又は他の小さい持続性メモリ）を備えていてもよい。携帯機器は、コンフィギュレーションのみのための（例えば、ユーザのアドレスブック、写真及び他のデータ又は設定のための）小さいフラッシュメモリを備えていてもよい。携帯機器が基地局と通信して無線リンクを実現する場合には、携帯機器は、アプリケーションイメージをＲＡＭに伝送するためにＢＯＯＴＰ及びＴＦＴＰを用いて十分な動作を開始させるためにアプリケーションイメージを実行する。
【００２３】
この出願において、フラッシュメモリの利用の暗示的又は明示的な放棄は意図されていない。例えば、本発明の実施形態は、アプリケーションイメージ及び／又はコンフィギュレーションを記憶すること以外を目的としたフラッシュメモリを備えていてもよい。
したがって、本発明の実施形態の前記記述は、説明を目的として表されたものであり、本発明を開示された正確な形状に網羅したり限定したりすることは意図されていない。当業者であれば、前記した説明に基づいて、多くの修正及び変形が可能であることを評価するであろう。したがって、本発明の範囲がこの詳細な説明により限定されず、本明細書に添付された請求の範囲によって定められることが望まれる。
【図面の簡単な説明】
【００２４】
【図１】本発明の実施形態による加入者宅内機器ＤＳＬモデムを示す概略図である。
【図２】本発明の実施形態による加入者宅内機器ＤＳＬモデムの起動手順を追って示す相互作用図である。
【図１】
2008510330.tif 000003
【図２】
2008510330.tif 000004
【国際調査報告】
2008510330.tif 000005